(57)【要約】海洋生物養殖用の網生け簀が記載されている。網生け簀は、海洋生物を保持する主室と、水を主室に還流させる前に水を処理する更なる水室とを備える。【選択図】図１
2021516067.tif 000002
【特許請求の範囲】
【請求項１】
海洋生物養殖用の網生け簀（１０）であって、前記網生け簀（１０）は前記海洋生物を保持する主室（１２）を備え、前記網生け簀が前記主室（１２）の周囲に配置される第１の環状室（１４）も備え、前記主室（１２）からの水を、管路（１６）を介して環状室又は前記主室（１２）に循環させることを特徴とする、網生け簀（１０）。
【請求項２】
水を管路（１６）を介して前記第１の環状室（１４）に循環させ、前記第１の環状室（１４）の壁（１４ａ）には、水を前記主室（１２）に還流させる開口部（２０）が形成されていることを特徴とする、請求項１に記載の網生け簀（１０）。
【請求項３】
前記網生け簀（１０）が、前記主室の周囲に沿って、前記主室（１２）に対して外側に及び前記第１の環状室（１４）の内部に第２の環状室（２４）を備え、前記主室（１２）から前記第１の環状室（１４）及び前記第２の環状室（２４）を順次に介して水を主室（１２）に還流させることを特徴とする、請求項１に記載の網生け簀（１０）。
【請求項４】
前記網生け簀（１０）が１つ以上の管路（１６）を備え、前記管路（１６）は、前記主室（１２）の中心付近に配置され、水が水平方向に傾斜した部分（１６ａ）内を前記第１の環状室（１４）まで自由に流れるように水を十分に高く持ち上げるポンプ装置（１８）が取り付けられていることを特徴とする、請求項１〜３のいずれか一項に記載の網生け簀（１０）。
【請求項５】
前記ポンプ装置（１８）がプロペラポンプ（１８）であることを特徴とする、請求項４に記載の網生け簀（１０）。
【請求項６】
前記管路（１６）と連通して、ファン（１９）等の真空ポンプ（１９）が配置され、前記管路の前記部分（１６ａ）内に負圧を発生させるように構成されることを特徴とする、請求項１に記載の網生け簀（１０）。
【請求項７】
前記管路（１６）からの負圧及び排気は、サイクロンで確立することを特徴とする、請求項６に記載の網生け簀（１０）。
【請求項８】
水を前記管路（１６）を介してゆっくりと循環させて長時間負圧に曝すことを特徴とする、請求項６に記載の網生け簀（１０）。
【請求項９】
前記網生け簀が、前記管路（１６）を通って導かれる液体中に、小さなガス気泡、好ましくはマイクロバブル、より好ましくはマイクロ気泡を添加する噴射器（１７）を備えることを特徴とする、請求項１に記載の網生け簀（１０）。
【請求項１０】
空気、好ましくは上向きの空気を前記第１の環状室（１４）内に供給する空気供給手段（３０）が、前記第１の環状室（１４）内に配置されることを特徴とする、請求項１に記載の網生け簀（１０）。
【請求項１１】
前記第１の環状室（１４）に、噴射器を介してマイクロバブルを添加することを特徴とする、請求項１に記載の網生け簀（１０）。
【請求項１２】
前記網生け簀（１０）が、前記第１の環状室（１４）の上側部分の周方向に隣接して配置される１つ以上の排水井戸（３４）を更に備え、泡を前記第１の環状室（１４）から前記排水井戸（３４）に移送するように構成されることを特徴とする、請求項１に記載の網生け簀（１０）。
【請求項１３】
前記第２の環状室（２４）がバイオフィルタとして構成され、好ましくは空気を前記第２の環状室（２４）内に吹き込んで水を循環運動させ、その水を硝化するための大表面積を有する多数の物体が水中に配置されることを特徴とする、請求項３に記載の網生け簀（１０）。
【請求項１４】
前記網生け簀（１０）がその上部分において前記主室（１２）の周囲に第３の環状室（４４）を備え、前記第３の環状室（４４）が、その内部の水に酸素及び／又は空気を供給する手段を備えることを特徴とする、請求項１〜１３のいずれか一項に記載の網生け簀（１０）。
【請求項１５】
前記第３の環状室（４４）からの水を、前記第３の環状室（４４）内に配置されるオーバーフローを介して前記主室（１２）に循環させることを特徴とする、請求項１４に記載の網生け簀（１０）。
【請求項１６】
前記網生け簀（１０）が水位Ｖ１を有する主室（１２）と、水位Ｖ２を有する第１の環状室（１４）と、水位Ｖ３を有する第２の環状室（２４）と、水位Ｖ４を有する第３の環状室（４４）とを備え、水位Ｖ１が最低水位であり、前記第１の環状室（１４）内の水位Ｖ２が最高水位であり、水位Ｖ３及びＶ４が、順次に水位Ｖ２より低く、かつ、水位Ｖ１よりも高いように設定されていることを特徴とする、請求項１〜１５のいずれか一項に記載の網生け簀（１０）。
【請求項１７】
前記第１の環状室（１４）が、水を前記第１の環状室（１４）内で循環及び通気させるべく、前記第１の環状室（１４）の円周に沿って配置され、かつ、前記部屋に空気を供給するように構成される複数のノズルを備えることを特徴とする、請求項１〜１６のいずれか一項に記載の網生け簀（１０）。
【請求項１８】
前記第１の環状室（１４）が、前記網生け簀（１０）の壁部分（１０ａ）の垂直深さに対応する垂直寸法を有することを特徴とする、請求項１〜１７のいずれか一項に記載の網生け簀（１０）。
【請求項１９】
第２の環状室（２４）が、前記網生け簀（１０）の壁部分（１０ａ）の垂直深さに対応する垂直寸法を有することを特徴とする、請求項３〜１８のいずれか一項に記載の網生け簀（１０）。
【請求項２０】
ポンプ（１８）、好ましくはプロペラポンプ（１８）が管路（１６）内に配置され、水を主室（１２）から第１の環状室（１４）に循環させることを特徴とする、請求項１〜１９のいずれか一項に記載の網生け簀（１０）。
【請求項２１】
前記第２の環状室（２４）内の前記壁に沿って上方に空気を吹き上げて、水を前記第２の環状室（２４）内で垂直に回転させるための手段が、前記第２の環状室（２４）内に配置されていることを特徴とする、請求項３〜２０のいずれか一項に記載の網生け簀（１０）。
【請求項２２】
前記主室１２の底部が、海洋生物の死骸及び廃棄物を回収するために前記井戸の前記中心に向かって下方に傾斜していることを特徴とする、請求項１〜２１のいずれか一項に記載の網生け簀（１０）。
【請求項２３】
前記主室（１２）の外壁が絶縁されていることを特徴とする、請求項１〜２２のいずれか一項に記載の網生け簀（１０）。
【請求項２４】
前記網生け簀（１０）の上に屋根が設置され、前記屋根は、前記環状室間及び前記環状室と前記主室との間の前記壁を持ち上げて固定するように寸法決めされることを特徴とする、請求項１〜２３のいずれか一項に記載の網生け簀（１０）。
【請求項２５】
前記第１の環状室（１４）が、水平壁部分又は垂直壁部分のいずれかによって多数の部分室に分割される、請求項１に記載の網生け簀（１０）。
【請求項２６】
異なる水処理方法が異なる部分室内で行われることを特徴とする、請求項２５に記載の網生け簀（１０）。
【発明の詳細な説明】
【技術分野】
【０００１】
本発明は養殖用の網生け簀に関し、より詳細には、ＲＡＳ設備で使用する網生け簀に関する。
【背景技術】
【０００２】
食料源として魚へのニーズは大きく、ノルウェーにおける養殖魚業への需要は非常に高まっている。このため、新たな養殖設備及び網生け簀が各地で開発されている。疾病に関する問題、特にサケジラミを取り巻く問題により、最近では多くの「閉鎖型」解決策が開発されている。これらは海中及び陸上で使用する設備であるが、網生け簀の壁を閉じて病原性生物の侵入を防ぐものである。
【０００３】
また、いわゆるＲＡＳリアクター、すなわち閉鎖型再循環式養殖システムも知られている。
【０００４】
ＲＡＳ設備は、魚の生息環境を制御することができるため、海上の開放設備よりも好まれることが多い。しかしながら、これは、最適な方法で水の浄化と制御を行い、解決策が経済的に有益であることを前提としている。ＲＡＳ設備は、以下のステップで説明できる水処理の標準的な工程に基づいている。
【０００５】
濾過洗浄により蒸発除去した水の代わりに、消毒水を網生け簀に取り込む。水の大部分（約９５〜９７％）が設備内で再循環するため、設備に供給する水の量は比較的少量（約２〜３％）である。
【０００６】
洗浄工程の一部として水を通過させる様々な工程は、以下の通りである。
１．濾過及びタンパク質スキミングを行って、有機粒子を除去する。これらは、多くの場合には大型の機械的フィルタで行われ、特に海水システム用のスキマー（空気を水中で吹き上げる）と組み合わされることが多い。
２．バイオフィルタで窒素化合物（アンモニア）を除去する。これは、微小プラスチックキューブを大量に有する大表面積の部屋を通して水を導入することで行われる。これらの表面上には、アンモニア（魚に有毒なＮＨ３）を硝酸塩に変換するバイオフィルムが形成される。アンモニアを亜硝酸塩に変換するのがアンモニア酸化細菌であり、次いで亜硝酸塩酸化細菌が亜硝酸塩を更に硝酸塩に変換する。これが硝化であり、ＲＡＳ設備における中心的な工程である。
３．ＣＯ２除去は、通気及び負圧の使用を原則とする様々な方法で行われる。
４．酸素化は、酸素を水中に押し込む特殊な酸素化設備によって行われる。
【０００７】
上記４つのメインステップは、多くの場合、複数のサブステップに分割される。伝統的に、そのような設備は、水を１つの処理ユニットから別の処理ユニットにポンプで圧送することにより形成される。これにより、広範囲にわたって多くの処理ユニットが広がり、処理ユニット間に多くの管継手が配置される設備となる。これは大規模な養殖を考えると、費用がかかり経済性が悪い。そのような設備はしばしば１万〜２万平方メートルにも及ぶ。
【０００８】
特許文献１には、中央タンクと１つ以上の周囲タンクとからなる養殖用の網生け簀が記載されている。中央タンクを水処理に使用し、周囲タンクを魚の養殖に使用する。
【０００９】
特許文献２には、魚を主室内に保持し、水を主室内の部屋に移送して洗浄する養殖設備が記載されている。水は、３つの部屋の全てに導入された後、パイプで主室に戻される。
【先行技術文献】
【特許文献】
【００１０】
【特許文献１】国際公開第２０１４／１８３７６５号パンフレット
【特許文献２】ドイツ特許出願公開第２８２９４９６号明細書
【発明の概要】
【発明が解決しようとする課題】
【００１１】
したがって、本発明の目的は、網生け簀に一体化されたユニットにおいて異なる処理工程を行うことができる、よりコンパクトなシステムを開発することである。本発明の更なる目的は、より最適な水流を有するシステムを提供することであり、これは水を持ち上げ移動させるのに必要なエネルギーを節約するために特に重要である。
【課題を解決するための手段】
【００１２】
したがって、本発明は、海洋生物を保持する主室を備える海洋生物養殖用の網生け簀に関し、この網生け簀は、主室の周囲に配置される第１の環状室も備え、主室からの水を管路を介して環状室又は主室に循環させることを特徴とする。
【００１３】
一実施形態では、水を管路を介して第１の環状室に循環させ、第１の環状室の壁には水を主室に還流させる開口部が形成されている。
【００１４】
一実施形態では、網生け簀は、主室の周囲に沿って、主室に対して外側に及び第１の環状室の内部に第２の環状室を備え、主室から第１の環状室及び第２の環状室を順次に介して水を主室に還流させる。
【００１５】
一実施形態では、網生け簀は１つ以上の管路を備え、管路は主室の中心付近に配置され、水が管路の水平方向に傾斜した部分内を第１の環状室まで自由に流れるように水を十分に高く持ち上げるポンプ装置が取り付けられている。
【００１６】
一実施形態では、ポンプ装置はプロペラポンプである。
【００１７】
一実施形態では、管路と連通して、ファン等の真空ポンプが配置され、管路部分内に負圧を発生させるように構成される。
【００１８】
一実施形態では、管路からの負圧及び排気は、サイクロンで確立する。
【００１９】
一実施形態では、水を管路を介してゆっくりと循環させて長時間負圧に曝す。
【００２０】
一実施形態では、網生け簀は、管路を通って輸送される流体中に、小さなガス気泡、好ましくはマイクロバブル、より好ましくはマイクロ気泡を添加する噴射器を包含する。
【００２１】
一実施形態では、空気、好ましくは上向きの空気を第１の環状室内に供給する空気供給手段が、第１の環状室内に構成される。
【００２２】
一実施形態では、第１の環状室に、噴射器を介してマイクロバブルを供給する。
【００２３】
一実施形態では、網生け簀は、第１の環状室の上部分の周方向に隣接して配置される１つ以上の排水井戸を備え、泡を第１の環状室から排水井戸に移送するように構成される。
【００２４】
一実施形態では、前記第２の環状室がバイオフィルタとして構成される。好ましくは空気を室内に吹き込んで水を循環させ、その水を硝化するための大表面積を有する多数の物体が水中に配置される。
【００２５】
一実施形態では、網生け簀はその上部分において主室の周囲に第３の環状室を備え、この第３の環状室は、その内部の水に酸素及び／又は空気を供給する手段を備える。
【００２６】
一実施形態では、第３の環状室から水を、第３の環状室内に配置されるオーバーフローシステムを介して主室に循環させる。
【００２７】
一実施形態では、網生け簀は、水位Ｖ１を有する主室と、水位Ｖ２を有する第１の環状室と、水位Ｖ３を有する第２の環状室と、水位Ｖ４を有する第３の環状室とを備える。水位Ｖ１が最低水位であり、第１の環状室内の水位Ｖ２が最高水位であり、水位Ｖ３及びＶ４が、順次に水位Ｖ２よりも低く、かつ、水位Ｖ１よりも高いように設定される。
【００２８】
一実施形態では、第１の環状室は、水を室内で循環及び通気させるべく、部屋の円周に沿って配置され、かつ、部屋に空気を供給するように構成される複数のノズルを備える。
【００２９】
一実施形態では、第１の環状室は、網生け簀の壁部分の垂直深さに対応する垂直寸法を有する。
【００３０】
一実施形態では、第２の環状室は、網生け簀の壁部分の垂直深さに対応する垂直寸法を有する。
【００３１】
一実施形態では、ポンプ、好ましくはプロペラポンプが管路内に構成され、水を主室から第１の環状室に循環させる。
【００３２】
一実施形態では、第２の環状室内の壁に沿って空気を吹き上げて、水を第２の環状室内で垂直に循環させるための手段が、第２の環状室内に配置される。
【００３３】
一実施形態では、主室の底部は、海洋生物の死骸及び廃棄物を回収するために井戸の中心が傾斜している。
【００３４】
一実施形態では、主室の外壁は絶縁されている。
【００３５】
一実施形態では、網生け簀の上に屋根が配置され、前記屋根は、環状室間及び環状室と主室との間の壁を持ち上げて固定するように寸法決めされる。
【００３６】
一実施形態では、第１の環状室は、水平壁部分又は垂直壁部分のいずれかによって複数の部分室に分割される。
【００３７】
一実施形態では、このような異なる水処理方法が異なる部分室内で行われる。
【図面の簡単な説明】
【００３８】
【図１】主室の外部に第１の環状室を配置した養殖網生け簀の概略図である。
【図２】水を処理する複数の環状室を配置した養殖網生け簀の概略図である。
【図３】異なる水室、ならびに室内の水位のより詳細な概略図である。
【図４】水を主室の中心位置から主室の外縁部の位置まで循環させる解決策の概略図である。
【発明を実施するための形態】
【００３９】
本発明の好ましい実施形態を、添付の図面を参照して以下により詳細に記載する。
【００４０】
図１は、本発明による養殖網生け簀１０の一実施形態を概略的に示す。網生け簀１０には、魚のような海洋生物を養殖する主室１２を形成する多数の壁１０ａ及び底部分１０ｂが取り付けられている。これらの壁及び底部分は任意の適切な形状を有することができるが、壁１０ａは概ね垂直であることが多く、底部分１０ｂは水平であることが多い。底部分は網生け簀の中心に向かってやや深くなるようにテーパを付けることもできるし、又は網生け簀の中心に向かって傾斜する部分を有することもできる。
【００４１】
図１に示す養殖網生け簀１０は閉じた状態、すなわち、壁及び底部分が水を通さない状態である。網生け簀１０は水中又は海中に浮遊するように配置することができ、次いでフロートカラー（図示せず）を備え付け、網生け簀の十分な浮力を確保する。しかしながら、好ましい実施形態では、網生け簀は陸上で使用され、次いでフレーム内に配置されるか、又は網生け簀１０は陸上に設置できるように十分に剛性である。
【００４２】
大量の水を連続的に処理しなければならず、更に水は複数の異なる水処理工程を経なければならないため、異なる工程を行うためにかなりの水室を有するユニットが必要となる。今日の解決策では、水を網生け簀又は部屋から輸送し、異なる水処理ステップをしばしば別々のモジュール又は工程で行う。
【００４３】
本発明では、部屋／網生け簀の外周に異なる水室を設置する解決策を提供する。円形の網生け簀又は部屋を使用することが好ましい場合が多いので、これらの水処理室は、網生け簀の外周に環状空間として構成される。環状空間には、処理すべき水の量に適合する寸法及び容積が与えられ、網生け簀の主室に還流させる。
【００４４】
図１は、第１の環状室１４を有する網生け簀１０を示す。環状室１４は、網生け簀１０の垂直寸法の全体又は大部分を使用することが好ましい。網生け簀１０には、そのような複数の環状室を取り付けることができ、この場合には最外側の環状室１４（図１における唯一の環状室）を第１の環状室１４と称する。第１の環状室１４は、原則として、網生け簀若しくは容器に設けられる仕切り壁で構成することができ、又は網生け簀の外側に構成される１つのユニットとすることができる。
【００４５】
図１はまた、主室１２から第１の環状室１４に水を循環させる管路１６を示す。もちろん、第１の環状室１４に水を循環させるそのような管路１６が複数あってもよい。管路１６は、主室１２内の水位Ｖ１の上方から主室１２内の水中へと下方に延在する垂直部分を有しているが、部分１６ａは傾斜し、主室１２から持ち上げられた水を第１の環状室１４に向けて自由に導く。管路１６の水入口は網生け簀１０の中心付近に配置され、主に垂直に持ち上げられた後の水を長距離輸送して第１の環状室１４に送ることを確実にする。直径５０メートルの網生け簀の場合、この解決策により水を２０メートルよりもはるか遠くまで輸送して環状室１４内に注ぐことができる。
【００４６】
代替的な実施形態では、水を主室１２から主室１２内の異なる位置に循環させる。このようにして、水が主室１２の中心から主室１２の外側部分により近い地点まで移動することが好ましい。図４に示されるように、この地点は好ましくは環状室１４に対して近く、かつ外部にある。
【００４７】
管路１６内には、主室１２から水を汲み上げるポンプ装置１８が配置されている。これは、低圧で大量の水を汲み上げるのに好適なプロペラポンプ１８であることが好ましい。
【００４８】
管路１６に設置される噴射器を使って水中に小さな気泡を添加すると、ＣＯ２が水中から気泡に入る。ここではＣＯ２濃度が比較的高く、Ｏ２の濃度が比較的低い。すると水と小さな気泡との混合物が管路部分１６ａ内に存在し、平衡原理によりＣＯ２が水から気泡内に入る。
【００４９】
管路部分１６ａに負圧を発生させるとともに、この段階で高濃度のＣＯ２を有する気泡を除去するために、負圧を発生させて気泡を水中から引き抜くファン１９（図３に示す）を設置する。負圧により及び気泡と水の表面が大きくなることにより、この方法で効率的に水中のＣＯ２を除去する。
【００５０】
これにより、主室１２から第１の環状室１４への通水中に、水から不要なＣＯ２を除去する。水がゆっくりと動いて長時間にわたって負圧に曝され、したがってＣＯ２の良好な除去が達成されることが好ましい。
【００５１】
これが本発明の核心であり、すなわち、大きな隔離された水の塊を（第１の環状室１４として）網生け簀１０の一体部分として確立することができ、主室１２から持ち上げられた水は負圧下でゆっくりと水平方向に移動し、環状室１４内で更なる水処理工程を行うことができる。
【００５２】
図１に示すように、水を主室１２に還流させるように、第１の環状室１４内に開口部２０が配置されている。図では、開口部２０は主室１２及び第１の環状室１４の間の壁の底部に示されているが、壁のより上方に設置することもできる。必要な循環を得るために、開口部２０を第１の環状室１４の底部分に配置することが好ましい。更に、上述のように管路１６に供給するものに加えて、ガス又は空気を供給する手段（図示せず）を第１の環状室１４に配置する。これにより、空気が第１の環状室１４に供給され、好ましくは第１の環状室１４内を上方に流れる、すなわち水の方向に向流することを確実にする。空気供給とは、環状室１４内の水を円運動させ、泡を除去することを意味する（以下でより詳細に説明する）。
【００５３】
上述のように、水を主室１２に還流させる前に一連の水処理工程を行わなければならない。したがって、主室１２の外側周方向に２つ以上の環状室を配置することが好ましい場合が多い。
【００５４】
図２は、異なる環状室内で異なる水処理方法を行えるように、複数の環状室が配置される実施形態を示す。しかしながら、本発明の一実施形態では、水を１つの部分室から次の部分室へと循環させるように、第１の環状室１４が複数の部分室に分割している。例えば、水を１つの部分室から次の部分室へ循環させるように、環状室１４を垂直壁によって分割することができる。また、部分室が互いに下方にあり、水平壁部分によって区切る解決策も考えられる。環状室１４を複数の部分室に水平分割するか又は垂直分割するかのいずれかがあり、例えば、水が主室１２に戻される前に、第１の部分室内でスキミングを行い、第２の部分室内で生物濾過を行い、第３の部分室内で酸素化を行うことができる。
【００５５】
図２には、本発明の現在好ましい実施形態が示されている。網生け簀１０には複数の環状室１４、２４が取り付けられている。第１の環状室１４の内側には第２の環状室２４が配置され、水はこの第２の環状室２４を介して、好ましくはオーバーフローを介して第１の環状室１４から主室１２に導かれる。これにより、本解決策に更なる水処理工程を設置することが可能となる。図２に示される実施形態では、第１の環状室１２を（上記で説明したように）通気及びスキミングに使用し、第２の環状室２４を生物濾過に使用する。
【００５６】
生物濾過では通常、大表面積を有する微小プラスチック粒子を使用し、アンモニアを硝酸塩に変換する（従来の硝化）細菌によるバイオフィルムを形成する。
【００５７】
図２には、泡の移送（スキミング）、すなわち水中の泡及び汚染粒子の除去のために、第１の環状室１４の上部分に接する排水井戸３４も示されている。
【００５８】
図２はまた、水の酸素化に使用する第３の環状室４４を示す。第２の環状室１４内のバイオフィルタによって生成されるＣＯ２も、水が主室１２に入る前にここで除去される。図２の実施形態では、第３の環状室は、水が第２の環状室２４からオーバーフローを介して第３の環状室４４に流れるように設置されている。開口部４４ａは第３の環状室４４内に、好ましくは環状室４４の底部分に配置され、水が第３の環状室から主室１２に流れるようになっている。水中に小さな気泡を添加することでＣＯ２を除去するのと同時に、酸素及び／又は空気を第３の環状室４４内の水に供給する。
【００５９】
水の流れは図中に矢印で示されている。すなわち、水は管路１６を介して主室１２から第１の環状室１４に導かれ、次いで、垂直に下降し、第２の環状室２４の底部分の開口部２０を通って導かれる。空気を第２の環状室２４内に供給し、環状室２４内の水の垂直円形運動を確立した後、水はオーバーフローを介して第３の環状室４４内に流入し、その後、第３の環状室４４の底部分の開口部を介して主室１２に流れる。この循環流運動において、水は主室１２の外部の異なる環状室１４、２４、４４内に配置される異なる水処理工程を通過する。
【００６０】
異なる環状室１４、２４、４４は、任意の形状及びサイズを有することが可能である。しかしながら、コンパクトな設備１０を得るために、１つ以上の環状室が網生け簀１０の垂直寸法に対応する垂直寸法を有することが好ましい。
【００６１】
図３は、主室１２、第１の環状室１４、第２の環状室２４、及び第３の環状室４４、ならびに確立される異なる水位の詳細を断面図で概略的に示す。主室１２内の水位はＶ１として与えられ、最低水位である。第１の環状室１４内の水位はＶ２として与えられ、最高水位である。第２の環状室２４がＶ２よりも低いが第３の環状室４４の水位Ｖ４よりも高い水位Ｖ３を有するように、その間の他の環状室は順次低い水位を有する。したがって水は、第１の環状室１４から第２の環状室２４及び第３の環状室４４を介して主室１２へと強制的に流れる。
【００６２】
好ましい実施形態では、網生け簀１０には屋根が取り付けられている。更に、好ましくは網生け簀の外壁は断熱されており、屋根も断熱されている。異なる環状室間の壁、及び主室と環状室との間の壁は薄いプラスチック板又はターポリンから作られ、複数の地点で屋根に構造的に固定されることが好ましい。
【００６３】
網生け簀／容器が陸上に設置するものである場合には、鋼板、コンクリート又はプラスチックから製造され、内部がプラスチックで覆われていることが好ましい。
【００６４】
図４は、水が主室１２の中心部から主室１２の外縁部の位置まで導かれる実施形態を示す。水は、環状室１４の外側に隣接する位置に導かれることが好ましい。
【図１】
2021516067.tif 000003
【図２】
2021516067.tif 000004
【図３】
2021516067.tif 000005
【図４】
2021516067.tif 000006
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
海洋生物養殖用の網生け簀（１０）であって、前記網生け簀（１０）は前記海洋生物を保持する主室（１２）を備え、前記網生け簀が前記主室（１２）の周囲に配置される第１の環状室（１４）も備え、前記主室（１２）からの水を、管路（１６）を介して環状室又は前記主室（１２）に循環させることを特徴とする、網生け簀（１０）。
【請求項２】
水を管路（１６）を介して前記第１の環状室（１４）に循環させ、前記第１の環状室（１４）の壁（１４ａ）には、水を前記主室（１２）に還流させる開口部（２０）が形成されていることを特徴とする、請求項１に記載の網生け簀（１０）。
【請求項３】
前記網生け簀（１０）が、前記主室の周囲に沿って、前記主室（１２）に対して外側に及び前記第１の環状室（１４）の内部に第２の環状室（２４）を備え、前記主室（１２）から前記第１の環状室（１４）及び前記第２の環状室（２４）を順次に介して水を主室（１２）に還流させることを特徴とする、請求項１に記載の網生け簀（１０）。
【請求項４】
前記網生け簀（１０）が１つ以上の管路（１６）を備え、前記管路（１６）は、前記主室（１２）の中心付近に配置され、水が水平方向に傾斜した部分（１６ａ）内を前記第１の環状室（１４）まで自由に流れるように水を十分に高く持ち上げるポンプ装置（１８）が取り付けられていることを特徴とする、請求項１〜３のいずれか一項に記載の網生け簀（１０）。
【請求項５】
前記ポンプ装置（１８）がプロペラポンプ（１８）であることを特徴とする、請求項４に記載の網生け簀（１０）。
【請求項６】
前記管路（１６）と連通して、ファン（１９）等の真空ポンプ（１９）が配置され、前記管路の前記部分（１６ａ）内に負圧を発生させるように構成され、
又は、前記管路（１６）からの負圧及び排気は、サイクロンで確立することを特徴とする、請求項１に記載の網籠（１０）。
【請求項７】
水を前記管路（１６）を介してゆっくりと循環させて長時間負圧に曝すことを特徴とする、請求項６に記載の網生け簀（１０）。
【請求項８】
前記網生け簀が、前記管路（１６）を通って導かれる液体中に、小さなガス気泡、好ましくはマイクロバブル、より好ましくはマイクロ気泡を添加する噴射器（１７）を備えることを特徴とする、請求項１に記載の網生け簀（１０）。
【請求項９】
空気、好ましくは上向きの空気を前記第１の環状室（１４）内に供給する空気供給手段（３０）が、前記第１の環状室（１４）内に配置され、
又は、前記第１の環状室（１４）に、噴射器を介してマイクロバブルを添加し、
又は、前記網生け簀（１０）が、前記第１の環状室（１４）の上側部分の周方向に隣接して配置される１つ以上の排水井戸（３４）を更に備え、泡を前記第１の環状室（１４）から前記排水井戸（３４）に移送するように構成されることを特徴とする、請求項１に記載の網籠（１０）。
【請求項１０】
前記第２の環状室（２４）がバイオフィルタとして構成され、好ましくは空気を前記第２の環状室（２４）内に吹き込んで水を循環運動させ、その水を硝化するための大表面積を有する多数の物体が水中に配置されることを特徴とする、請求項３に記載の網生け簀（１０）。
【請求項１１】
前記網生け簀（１０）がその上部分において前記主室（１２）の周囲に第３の環状室（４４）を備え、前記第３の環状室（４４）が、その内部の水に酸素及び／又は空気を供給する手段を備えることを特徴とする、請求項１〜１０いずれか一項に記載の網籠（１０）。
【請求項１２】
前記第３の環状室（４４）からの水を、前記第３の環状室（４４）内に配置されるオーバーフローを介して前記主室（１２）に循環させることを特徴とする、請求項１１に記載の網籠（１０）。
【請求項１３】
前記網生け簀（１０）が水位Ｖ１を有する主室（１２）と、水位Ｖ２を有する第１の環状室（１４）と、水位Ｖ３を有する第２の環状室（２４）と、水位Ｖ４を有する第３の環状室（４４）とを備え、水位Ｖ１が最低水位であり、前記第１の環状室（１４）内の水位Ｖ２が最高水位であり、水位Ｖ３及びＶ４が、順次に水位Ｖ２より低く、かつ、水位Ｖ１よりも高いように設定されていることを特徴とする、請求項１〜１２のいずれか一項に記載の網籠（１０）。
【請求項１４】
前記第１の環状室（１４）が、水を前記第１の環状室（１４）内で循環及び通気させるべく、前記第１の環状室（１４）の円周に沿って配置され、かつ、前記部屋に空気を供給するように構成される複数のノズルを備え、又は、
前記第１の環状室（１４）が、前記網生け簀（１０）の壁部分（１０ａ）の垂直深さに対応する垂直寸法を有し、又は、
第２の環状室（２４）が、前記網生け簀（１０）の壁部分（１０ａ）の垂直深さに対応する垂直寸法を有し、又は、
ポンプ（１８）、好ましくはプロペラポンプ（１８）が管路（１６）内に配置され、水を主室（１２）から第１の環状室（１４）に循環させ、又は、
前記第２の環状室（２４）内の前記壁に沿って上方に空気を吹き上げて、水を前記第２の環状室（２４）内で垂直に回転させるための手段が、前記第２の環状室（２４）内に配置されていることを特徴とする、請求項１〜１３のいずれか一項に記載の網籠（１０）。
【請求項１５】
前記主室１２の底部が、海洋生物の死骸及び廃棄物を回収するために前記井戸の前記中心に向かって下方に傾斜し、又は、
前記主室（１２）の外壁が絶縁され、又は、
前記網生け簀（１０）の上に屋根が設置され、前記屋根は、前記環状室間及び前記環状室と前記主室との間の前記壁を持ち上げて固定するように寸法決めされ、又は、
前記第１の環状室（１４）が、水平壁部分又は垂直壁部分のいずれかによって多数の部分室に分割され、
更に、好ましくは、異なる水処理方法が異なる部分室内で行われることを特徴とする、請求項１〜１４に記載の網籠（１０）。
【国際調査報告】
2021516067.tif 000007
2021516067.tif 000008
2021516067.tif 000009
2021516067.tif 000010